(57)【要約】【課題】携帯端末からセキュリティが高くリモートコントロール可能なホームセキュリティシステムを提供する。【解決手段】ホームネットワーク１７を介し宅内２に設置された防犯・防災用の各種センサ８〜１６からのモニタ情報を収集して携帯端末４に緊急通報を行い、携帯端末からの遠隔制御信号により宅内機器を操作できるホームセキュリティコントローラ３と、携帯端末本体に装着して認証用の指紋入力が可能な指紋情報入力手段５を有してセキュリティセンタサーバ６の認証後にホームセキュリティコントローラに接続してモニタ情報を受信し遠隔制御信号を送信する携帯端末と、携帯端末からの指紋情報を受信し登録済みの指紋情報と指紋照合による本人認証を行う指紋認証手段を有してＩＤ番号及び指紋認証が一致した場合に携帯端末とホームセキュリティコントローラの接続を許可し双方を管理するセキュリティセンタサーバと、を備えたものである。【選択図】図１
2006048174.tif 000002
【特許請求の範囲】
【請求項１】
宅内に設置された監視機能により宅内の状態を監視し、異常が検出された場合にセキュリティセンタのサーバを介し外出先のネットワーク上の携帯端末に対して異常発生の警報を通知するホームセキュリティシステムであって、
ホームネットワークを介し宅内に設置された防犯及び防災用の各種センサを有する監視手段からのモニタ情報を収集して緊急事態発生時には前記携帯端末に緊急通報を行い、前記携帯端末からの遠隔制御信号により宅内機器を操作できる遠隔コントロール機能を有するホームセキュリティコントローラと、
前記携帯端末本体に装着して認証用の指紋入力が可能な指紋情報入力手段を有してネットワーク接続によりセキュリティセンタサーバによる認証を経て前記ホームセキュリティコントローラと接続して前記モニタ情報を受信し前記遠隔制御信号を送信する携帯端末と、
前記携帯端末からの指紋情報を受信し登録済みの該指紋情報と指紋照合による本人認証を行う指紋認証手段を有して前記指紋情報入力手段に付与されているＩＤ番号及び前記指紋認証手段による指紋認証が一致した場合に認証完了として前記携帯端末と前記ホームセキュリティコントローラとの接続を許可し双方を管理するセキュリティセンタサーバと、を備えたことを特徴とするホームセキュリティシステム。
【請求項２】
前記指紋情報入力手段は、指紋採取センサによりスキャンして取得した指紋データの特徴部分を非可逆的にデジタルデータ化したテンプレートを作成して出力することを特徴とする請求項１に記載のホームセキュリティシステム。
【請求項３】
前記指紋情報入力手段は、携帯端末の外部接続コネクタ部分をデータ転送に利用するスティックタイプの形状及び夫々固有のＩＤ番号を有し、少なくとも前記指紋情報の採取機能のみを有するタイプ、ＩＣチップによる前記指紋情報の認証回路も併せ保有する認証タイプ、又は携帯端末自体に指紋採取センサが組込まれた組込みタイプの３タイプのいずれかを有することを特徴とする請求項１又は２に記載のホームセキュリティシステム。
【請求項４】
前記ホームセキュリティコントローラは、データ通信を行うＡＤＳＬ、ＣＡＴＶ、又はＦＴＴＨのいずれかに対応したブロードバンドモデム部と、インターネット上のセキュリティ保持のポート管理とデータのエンコード／デコードを行うファイアウォール部と、Ｗｅｂカメラ及び各種センサ制御の前記セキュリティセンタサーバとの送受信プログラム及びパソコンのインターネット接続のルータ機能等を有するサーバ部と、各種センサを制御するセンサ制御部と、ＴＣＰ／ＩＰで接続されるパーソナルコンピュータ又はＷｅｂカメラ制御を管理するＴＣＰ／ＩＰ制御部と、前記携帯端末等との電話通話を管理するＣＴＩ制御部と、電源の供給と停電時のバッテリバックアップシステムを構築する電源ユニットと、を有することを特徴とする請求項１に記載のホームセキュリティシステム。
【請求項５】
前記ホームセキュリティコントローラが管理する防犯センサは、少なくとも不審者の侵入を検知する熱線式検出器、ガラス破損センサ、窓の開閉を検知する窓用マグネットスイッチ、暗視カメラ、及びテンキー式施錠装置の一つ以上の組合せを含み、防災センサは火災報知器、防浸水発信機、ペンダント式発信機、及びセンサライトカメラの一つ以上の組合せを含むことを特徴とする請求項１又は４に記載のホームセキュリティシステム。
【請求項６】
前記ホームセキュリティコントローラは、前記各センサ及び／又は宅内機器に夫々アドレスを付与し無線ＬＡＮ等を用いたホームネットワークにより制御することを特徴とする請求項１、４、又は５のいずれかに記載のホームセキュリティシステム。
【請求項７】
前記ホームセキュリティコントローラは、前記携帯端末からの遠隔制御信号により宅内の前記テンキー式施錠装置による施錠、カメラ監視及び各種遠隔操作機能を有することを特徴とする請求項６に記載のホームセキュリティシステム。
【請求項８】
前記セキュリティセンタサーバとユーザ端末間又はセキュリティセンタサーバとホームセキュリティコントローラ間のインターネット通信及び前記ホームセキュリティコントローラによる屋内無線ＬＡＮは、毎回データの順番を特定のキーで暗号化し、更に、データが入る１パケット内の位置も変化させるＤＦＴＰＴ（Ｄｕａｌ  Ｅｎｃｒｙｐｔｉｏｎ  Ｔｅｃｈｎｏｌｏｇｙ  ｆｏｒ  Ｐａｃｋｅｔ  Ｔｅｌｅｃｏｍｍｕｎｉｃａｔｉｏｎ）方式によることを特徴とする請求項１、４又は６のいずれかに記載のホームセキュリティシステム。
【請求項９】
前記ホームセキュリティコントローラの緊急通報は、メール通報及び電話通報の２ウェイ通報システムにより行うことを特徴とする請求項１に記載のホームセキュリティシステム。
【発明の詳細な説明】
【技術分野】
【０００１】
本発明は、外出先などから携帯端末により留守宅の状態を監視して宅内の各種機器を遠隔制御できるセキュリティシステムに関し、特に、第三者による携帯端末を悪用したネットワークへの侵入を阻止できるホームセキュリティシステムに関するものである。
【背景技術】
【０００２】
最近、インターネットへのアクセス機能や、ブロードバンドの画像表示等が可能な高機能の携帯電話機が普及している。例えば、特許文献１に開示の「ホームセキュリティシステム」は、インターネット等のネットワークを介して外出先より携帯電話機によって、留守宅の状況を監視してリモートコントロールできるホームセキュユリティシステムである。
図８はこのホームセキュリティシステムの構成図であり、ルータ１５２はコントロールユニット１５１と他の家屋内外の機器をＬＡＮ接続するための装置であって、ここではスイッチングハブやダイヤルアップルータが用いられている。このルータ１５２はネットワークアドレス変換（ＮＡＴ）又はＩＰマスカレード機能を有し、コントロールユニット１５１のプライベートＩＰアドレスを、割り当てられたグローバルＩＰアドレスに変換する。モデム１５３はアナログ回線用の変復調装置であって、外部への通信路がデジタル回線の場合はモデムの代わりにＴＡ（ターミナルアダプタ）を用いる。センサユニット１５４、１５５等は、それぞれ温度センサ、照度センサ、人体センサ、窓の開閉を検知するセンサ、玄関の呼出しボタン押下感知センサ等の各センサ機能を有する装置である。カメラ１５６はいわゆるビデオカメラで、ＬＡＮによりルータ１５２と接続している。
【０００３】
コントロールユニット１５１がセンサの状態を監視しており、異常状態が発生すると、インターネット１５７を介して外出先の携帯電話機１５８へ異常発生通知を行う。異常発生通知はメールで行われ、異常内容とコントロールユニット１５１にアクセスするためのＵＲＬとなるコントロールユニットのグローバルＩＰアドレスが書き込まれている。異常発生通知のメールを受け取った携帯電話機１５８は、ＵＲＬよりＷｅｂページによる操作画面を表示させてカメラ操作などの操作入力を行う。このＷｅｂページからの携帯電話機１５８による操作入力（コマンド）を得たコントロールユニット１５１は、センサ機器（例えば、カメラ）の操作に必要なセンサユニット（カメラ）のプライベートＩＰアドレスを設定し、ＬＡＮを介してカメラ１５６にコマンドを送出する。カメラ１５６はコマンドに応じてパン、チルトなどの操作を行うことや、対象機器が家電製品の場合はコマンドに応じて赤外線リモコン信号を発信してＯＮ／ＯＦＦする、と言った留守宅内でのリモート制御を行う。
【０００４】
【特許文献１】特開２００４−１２８８２１号公報（図１）
【発明の開示】
【発明が解決しようとする課題】
【０００５】
しかしながら、上記従来例の場合、ホームセキュリティシステムは、外出先の携帯電話機の使用者が本人であるか厳重な認証手続を行っていないので、「なりすまし」や「盗聴」等の排除が難しく、犯行を意図した第三者の「なりすまし」を見過ごしてアクセスしてしまったような場合は、わざわざインターネットを介して犯人に自宅の内部を警報機器の所在など細部を含めて紹介することにもなり、警報機器の処理の仕方まで教示してしまうといった致命的な事態を招き兼ねないという問題があった。
また、モデム又はＴＡを使用してインターネットの接続を行う方式なので、接続毎にグローバルＩＰアドレスと各機器のプライベートＩＰアドレスの対応が替わり、外部からのアクセスが煩雑であるという問題があった。
また、無線ＬＡＮも一部使用されているとはいえ、いまだ有線ＬＡＮが主体のシステムなのでケーブル配線が目障りで邪魔になりホームネットワークの構築を妨げるという問題があった。
また、インターネット上のデータの暗号処理が不十分なのでシステムのセキュリティが低いという問題があった。
【０００６】
そこで、本発明は、携帯電話機等の携帯端末使用者の指紋を照合する指紋照合システムと、固体固有のユニークＩＤを搭載したホームセキュリティスティックによる高度の認証手続を導入することによって、契約者以外の第三者による認証手段を悪用したネットへの侵入をほぼ完全に阻止できると共に、システムを常時接続のブロードバンド対応型として固定ＩＰアドレスによる運用を容易にし、宅内機器同志の対話も可能なホームネットワークを視野に屋内配線ケーブルを一掃した無線ＬＡＮネットワークを構築し、屋内機器から外出先のインターネット上の携帯機器まで、通信データのセキュリティを保証できる暗号処理システムを導入して、高度なホームセキュリティサービスを提供できるホームセキュリティシステムを提供することを目的としている。
【課題を解決するための手段】
【０００７】
上記目的を達成するため、請求項１に記載の発明は、宅内に設置された監視機能により宅内の状態を監視し、異常が検出された場合にセキュリティセンタのサーバを介し外出先のネットワーク上の携帯端末に対して異常発生の警報を通知するホームセキュリティシステムであって、
ホームネットワークを介し宅内に設置された防犯及び防災用の各種センサを有する監視手段からのモニタ情報を収集して緊急事態発生時には前記携帯端末に緊急通報を行い、前記携帯端末からの遠隔制御信号により宅内機器を操作できる遠隔コントロール機能を有するホームセキュリティコントローラと、
前記携帯端末本体に装着して認証用の指紋入力が可能な指紋情報入力手段を有してネットワーク接続によりセキュリティセンタサーバによる認証を経て前記ホームセキュリティコントローラと接続して前記モニタ情報を受信し前記遠隔制御信号を送信する携帯端末と、
前記携帯端末からの指紋情報を受信し登録済みの該指紋情報と指紋照合による本人認証を行う指紋認証手段を有して前記指紋情報入力手段に付与されているＩＤ番号及び前記指紋認証手段による指紋認証が一致した場合に認証完了として前記携帯端末と前記ホームセキュリティコントローラとの接続を許可し双方を管理するセキュリティセンタサーバと、を備えたことを特徴とする。
【０００８】
また、請求項２に記載の前記指紋情報入力手段は、指紋採取センサによりスキャンして取得した指紋データの特徴部分を非可逆的にデジタルデータ化したテンプレートを作成して出力することを特徴とする。
また、請求項３に記載の前記指紋情報入力手段は、携帯端末の外部接続コネクタ部分をデータ転送に利用するスティックタイプの形状及び夫々固有のＩＤ番号を有し、少なくとも前記指紋情報の採取機能のみを有するタイプ、ＩＣチップによる前記指紋情報の認証回路も併せ保有する認証タイプ、又は携帯端末自体に指紋採取センサが組込まれた組込みタイプの３タイプのいずれかを有することを特徴とする。
また、請求項４に記載の前記ホームセキュリティコントローラは、データ通信を行うＡＤＳＬ、ＣＡＴＶ、又はＦＴＴＨのいずれかに対応したブロードバンドモデム部と、インターネット上のセキュリティ保持のポート管理とデータのエンコード／デコードを行うファイアウォール部と、Ｗｅｂカメラ及び各種センサ制御の前記セキュリティセンタサーバとの送受信プログラム及びパソコンのインターネット接続のルータ機能等を有するサーバ部と、各種センサを制御するセンサ制御部と、ＴＣＰ／ＩＰで接続されるパーソナルコンピュータ又はＷｅｂカメラ制御を管理するＴＣＰ／ＩＰ制御部と、前記携帯端末等との電話通話を管理するＣＴＩ制御部と、電源の供給と停電時のバッテリバックアップシステムを構築する電源ユニットと、を有することを特徴とする。
【０００９】
また、請求項５に記載の前記ホームセキュリティコントローラが管理する防犯センサは、少なくとも不審者の侵入を検知する熱線式検出器、ガラス破損センサ、窓の開閉を検知する窓用マグネットスイッチ、暗視カメラ、及びテンキー式施錠装置の一つ以上の組合せを含み、防災センサは火災報知器、防浸水発信機、ペンダント式発信機、及びセンサライトカメラの一つ以上の組合せを含むことを特徴とする。
また、請求項６に記載の前記ホームセキュリティコントローラは、前記各センサ及び／又は宅内機器に夫々アドレスを付与し無線ＬＡＮ等を用いたホームネットワークにより制御することを特徴とする。
また、請求項７に記載の前記ホームセキュリティコントローラは、前記携帯端末からの遠隔制御信号により宅内の前記テンキー式施錠装置による施錠、カメラ監視及び各種遠隔操作機能を有することを特徴とする。
また、請求項８に記載の前記セキュリティセンタサーバとユーザ端末間又はセキュリティセンタサーバとホームセキュリティコントローラ間のインターネット通信及び前記ホームセキュリティコントローラによる屋内無線ＬＡＮは、毎回データの順番を特定のキーで暗号化し、更に、データが入る１パケット内の位置も変化させるＤＦＴＰＴ（Ｄｕａｌ  Ｅｎｃｒｙｐｔｉｏｎ  Ｔｅｃｈｎｏｌｏｇｙ  ｆｏｒ  Ｐａｃｋｅｔ  Ｔｅｌｅｃｏｍｍｕｎｉｃａｔｉｏｎ）方式によることを特徴とする。
また、請求項９に記載の前記ホームセキュリティコントローラの緊急通報は、メール通報及び電話通報の２ウェイ通報システムにより行うことを特徴とする。
【発明の効果】
【００１０】
本発明によれば、携帯電話機等の携帯端末使用者の指紋を照合する指紋照合システムと、固体固有のユニークＩＤを搭載したホームセキュリティスティックの組合せによる高度な認証手段を導入することによって、契約者以外の第三者による認証手段を悪用したネットへの侵入をほぼ完全に阻止できるという効果がある。
また、システムを常時接続のブローバンド対応型として固定ＩＰアドレスによる運用を容易にし、ホーム内機器同志の対話も可能なホームネットワークを視野に屋内の配線ケーブル類を排除した無線ＬＡＮネットワークを構築できるという効果もある。
更に、屋内機器から外出時のインターネット上の携帯機器まで、通信データのセキュリティを保証する暗号処理システムを導入することによって、高度なホームセキュリティサービスを提供できるという効果もある。
【発明を実施するための最良の形態】
【００１１】
以下、発明を実施するための最良の形態について図を参照して説明する。
【実施例１】
【００１２】
先ず、本発明の実施例１について図を参照して説明する。
図１は本発明の実施例１によるホームセキュリティシステムの構成図である。
図１において、１はホームセキュリティシステムであり、ブロードバンド接続のインターネット７と接続する宅内に設置されるＨＳコントローラ（ホームセキュリティコントローラ）と、インターネット７と接続するＨＳ（ホームセキュリティ）スティックを装着した携帯電話機と、システムを管理するインターネット７上のセキュリティセンタサーバとで構成される。
２は自宅、オフィス等であり、３は宅内に設置されるＨＳコントローラであって、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＣＡＴＶ（Ｃａｂｌｅ  Ｔｅｌｅｖｉｓｉｏｎ）、ＦＴＴＨ（Ｆｉｂｅｒ  Ｔｏ  Ｔｈｅ  Ｈｏｍｅ）等のブロードバンド対応インターネットのファイアウォール、ゲートウェイ、宅内無線ＬＡＮルータなどの諸機能が併設されている。
４は外出先などでインターネット７接続により使用される携帯電話機であり、携帯電話機４には使用者本人の指紋照合用のＨＳスティック５が装着される。６はセキュリティセンタサーバであり、インターネット７を介した携帯電話機４からの指紋認証を行い、宅内に設置されたＨＳコントローラ３へのアクセスを許可する認証管理サーバである。
【００１３】
一方、自宅２内にはＨＳコントローラ３による無線ＬＡＮネットワークが構築されていて、ＨＳコントローラ３とは無線ＬＡＮ接続１７により、人体などを検出する熱線式検出器８、赤外線カメラ等の暗視カメラ９、導箔などを貼付けたガラス破損センサ、窓の開閉を検出する窓用マグネットスイッチ１１、テンキー式施錠装置１６等の防犯用の各センサと接続されている。各センサはアンテナ内蔵の無線ＬＡＮカードなどを用いた装置（例えば、センサ用ＰＣ（パーソナルコンピュータ）のカードスロットに装着使用等）である。その他、防浸水発信機１２、ＣＭＯＳ、ＣＣＤ等のセンサライトカメラ１３、火災警報器１４、ペンダント式発信機１５等の防災用各センサも無線ＬＡＮカードなどを使用してＨＳコントローラ３とＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ｄｅｔｅｃｔｉｏｎ）等を用いた無線プロトコルにより接続される。
【００１４】
次に、指紋照合用のＨＳスティック５とＨＳコントローラ３の詳細について説明する。
本実施例では従来の個人ＩＤ、パスワードの認証方式ではなく、ユーザ自身の指紋で個人認証を行う方式を採用し、図１に示すＨＳスティック５を用いて携帯電話機の外部接続端子を利用して装着する方式をとっている。ＨＳスティック５に内蔵される指紋読取り装置自体は、各種の指紋認証装置に多用されているものと同種の装置で、例えば、Ｗｉｎｄｏｗｓ（登録商標）対応で指紋検出方式は指のスイープによる温度差検出を用いる。この場合指紋検出精度はＦＦＲ（本人拒否率）：１／１０００以下、ＦＡＲ（他人器用率）：１／１００００以下のものであり、ＨＳスティック５には夫々書換え不可能なユニークＩＤが暗号化されて書き込まれている。
【００１５】
指紋の検出方式は周知の指紋認証アルゴリズムとしてマニューシャ方式と呼ばれる特徴点抽出方法を採用している。例えば、図２の指紋検出方法の説明図に示すように、読取った指紋画像２０上の特徴点、隆線２３、谷線２４、端点２５、分岐点２６等から特徴点の抽出を行って、デジタル・暗号化２１処理を行い作成したテンプレートデータ２２を、認証サーバ機能を有するセキュリティセンタサーバ６へ転送して登録するものである。このテンプレートデータ２２は、指紋画像や画像処理（パターンマッチング）データと違って元の指紋画像の復元は不可能であり、非可逆性データなのでセキュリティの面で有利である。
【００１６】
なお、ＨＳスティック５は、指紋読取りセンサ部のみを内蔵して指紋認証はセキュリティセンタサーバ６内の認証サーバで実施するシステムとしているが、ＨＳスティツク内部にＩＣメモリを搭載して指紋登録を行いスティック内で全て指紋認証が完了するタイプのスティックも使用可能である。この場合は指紋データを外部に登録していないのでセキュリティは万全であるが、ＩＣメモリ、認証回路などのチップや電源も必要で、大型で高価なのが難点である。更に、携帯電話機自体に指紋認証回路を内蔵したものもあるが、その場合は専用の携帯電話機としなければならないのが難点となる。その他、スティックの接続方式としては、携帯電話機用のｍｉｎｉＵＳＢコネクタを利用する方式や、Ｂｌｕｅｔｏｏｔｈ等による指紋データの無線伝送方式等も可能である。
【００１７】
次に、ＨＳコントローラ３の詳細について説明する。
図３はＨＳコントローラの構成図であり、３０はモデム部でブロードバンドＡＤＳＬ、ＣＡＴＶ、ＦＴＴＨに対応したブロードバンドモデムである。３１は屋内無線ＬＡＮと外部のインターネットとのセキュリティ保持のためのポート管理、フィルタリング、無線ＬＡＮ／インターネットフォーマットのエンコード／デコード等を行うファイアウォール部である。３２はサーバ部で、Ｗｅｂサーバ部はインターネット７との接続を管理しＡＤＳＬ、ＣＡＴＶ、ＦＴＴＨのブロードバンド対応なので常時接続型であり、ルータ機能としてＩＰマスカレード、ＤＨＣＰ等によるグローバルＩＰアドレスとプライベートＩＰアドレスの変換機能も有しているが、常時接続で接続切換えがないので、意図的に変更する場合以外は固定ＩＰアドレスとして対応可能であり、ダイヤルアップ方式の場合のように接続の度にプライベートＩＰアドレスが変更されると言った煩雑さがなくなる。また、サーバ機能の中にはメールサーバも含まれる。その他、Ｗｅｂカメラ９、１３や各種センサと無線ＬＡＮを構成する無線ＬＡＮルータ機能も含まれていて、宅内無線ＬＡＮは各種センサ機器やＰＣ等に夫々使用される無線ＬＡＮカードと、ブロードバンド対応型無線ＬＡＮルータとで構成される。
【００１８】
３３はＴＣＰ／ＩＰ制御部であり、インターネット接続、無線ＬＡＮ接続によるＷｅｂカメラ等の制御を行っている。３４はセンサ制御部で、各センサの動作制御を行う部分であって、例えば、ガラス破損センサ１０ならば、複数の導箔の抵抗値、電圧・電流値を検出することによって導箔の断線状態を検出して、ガラス破損を検知する等の電気制御を行う。３５はＣＴＩ（Ｃｏｍｐｕｔｅｒ  Ｔｅｌｅｐｈｏｎｙ  Ｉｎｔｅｇｒａｔｉｏｎ）制御部であって、緊急通報などの場合にメールの他に電話回線を通じた通報を行う際の通話管理の部分である。３６は電源ユニットで電源の供給と、停電時のバッテリバックアップ機能を有している。このＨＳコントローラ３は据置型の角型等形状の装置として製造され、ＨＳスティック５と共にユーザに販売されるものであり、認証サーバ機能を有するセキュリティセンタサーバ６はその使用料金等を支払う形態となる。
以上のように、ＨＳコントローラ３はＡＤＳＬ、ＣＡＴＶ、ＦＴＴＨに対応したブロードバンドモデム機能／ルータ機能（無線ＬＡＮ）／フアイアウォール機能／センサ感知機能を有しており、防犯・防災・監視だけではなく、無線ＬＡＮによるホームネットワークのゲートウェイとしても利用される。
【００１９】
セキュリティセンタサーバ６は、ＨＳコントローラ３の認証サーバとしての機能の他に、ＨＳコントローラ３のセンサ感知機能に対応してセッションを確立して、各センサの監視をＨＳコントローラ３との二重システムとして監視業務を分担することや、結果を履歴データとして保存する等によりフェイルセーフシステムを構築して安全性を高めるような業務も含めてもよい。
緊急事態が発生した場合等には、ＨＳコントローラ３からの外出先の本人へのメール・電話通報の他に、セキュリティセンタサーバ６は警備員の巡回派遣、消防署、警察への緊急通報などを分担・実施する警備保障業務まで請け負ってもよい。なお、警備員の派遣についてはセキュリティセンタサーバ６のシステム側が警備保障の実際システムを保有していない場合は、他の警備保障会社とタイアップしてもよい。
【００２０】
これらインターネット７を介した通信、無線ＬＡＮによる通信は、全て暗号化することによってセキュリティ保護を図っているが、本発明では最新の暗号化技術によるＤＥＴＰＴ（仮称：Ｄｕａｌ  Ｅｎｃｒｙｐｔｉｏｎ  Ｔｅｃｈｎｏｌｏｇｙ  ｆｏｒ  Ｐａｃｋｅｔ  Ｔｅｌｅｃｏｍｍｕｎｉｃａｔｉｏｎ）を使用している。
このＤＥＴＰＴの原理は、従来の暗号化技術は、接続の時に毎回データの順番を特定のキーで暗号化し、受信側で解凍する手法であったが、ＤＦＴＰＴの場合は図４に示すように、順番だけでなく、データが入る場所も毎回変化するように構成したもので、数十秒間の認証時間では解凍はほぼ不可能であり、セキュリティ保護が達成できる。
【００２１】
次に全体の処理について説明する。
先ず、ユーザの指紋登録について図５を参照して説明する。
最初に、ユーザがＨＳスティック５を購入して携帯電話機４に装着すると、ＨＳスティック５は自動的にセキユリティセンタサーバ６のアドレスを呼出し、指紋登録依頼を行う（Ｓ１０１）。登録依頼を受けたセキュリティセンタサーバ６はＨＳスティック６のユニークＩＤを読出し、付随情報として、購入した使用者の名前などの個人情報を確認した後、ユーザ本人の指紋入力を要求する（Ｓ１０２）。
指紋の転送要求を受けたユーザはＨＳスティック５のセンサ部分に指を密着させスキャンさせる、撮像操作を連続回数（例えば３回）繰返して指紋画像を採取し、図２で説明したような指紋の特徴点を抽出したデータを暗号化したテンプレートデータ２２を作成して転送する（Ｓ１０３）。セキュリティセンタサーバ６は指紋認証サーバとして、認証データベースにテンプレートデータ２２とＨＳスティック５のユニークＩＤ、ユーザの個人情報をリンクさせて登録する（Ｓ１０４）。以上によってユーザの指紋登録は終了し、以後セキュリティセンタサーバ６は指紋認証サーバとしても機能する。
【００２２】
次に、図１に示すようなシステムにおいて、ユーザが外出先等で携帯電話機４にＨＳスティック５を装着してインターネット７を介して自宅内の状況を遠隔監視するような場合に、ＨＳコントローラ３のＷｅｂサーバ３２にアクセスすると、ＨＳコントローラ３は指紋認証サーバとしてのセキュリティセンタサーバ６へ認証依頼を行い、セキュリティセンタサーバ６は認証ＤＢ（データベース）の登録テンプレートデータ２２と照合を行い、認証結果をＨＳコントローラへ返す。ＨＳコントローラ３は認証結果が正しければ携帯電話機４と接続し、認証結果が誤りなら回線を切断する。
この場合のＨＳコントローラ３とセキュリティセンタサーバ６との間の認証通信形態は常時接続状態で、ＨＳコントローラ３がＷｅｂサーバを、セキュリティセンタサーバ６が指紋認証サーバ業務を分担し、例えば、認証セッションを確立して専用回線のような形態とすることや、あるいは、ＡＳＰ（Ａｃｔｉｖｅ  Ｓｅｒｖｅｒ  Ｐａｇｅｓ）等のサーバサイドプログラムを用いた認証サービス手続き等を行うことも可能である。
このように、ＨＳスティック５のユニークＩＤと、ユーザ本人の指紋照合を組合せて個人認証を行うので、「なりすまし」や「盗聴」等の危険が高いＩＤ、パスワードによる個人認証に比較して、そうした不正の第三者によるネットワークアクセスをほぼ完全に排除することができる。
【００２３】
次に、以上のような認証が完了した後のアクセス例について説明する。
ここで、代表例として携帯電話機４から自宅２の内部をＷｅｂカメラ１３により監視するアクセス例について説明する。
図６はＷｅｂカメラの概略ブロック図である。光学レンズ５０によるイメージをＣＭＯＳ（又はＣＣＤ）５１により光電変換して、データ圧縮部５２によりＭＰＥＧ方式等の圧縮を行う。表示部５５は現在のカメラの撮像状態を表示する。位置駆動モータ５６はカメラ制御部（ＣＰＵ）５３の制御信号によりカメラのパン、チルト角度等を調節する。データ格納部５４はインターネット通信部７０から入力した監視画像要求信号をカメラ制御部５３へ出力すると共に、カメラ制御部５３を介して入力される監視画像をインターネット通信部７０へ出力する。インーネット通信部７０はデータ通信のためのプロトコルを格納するプロトコルスタック５７と、インターネット、ＬＡＮのＴＣＰ／ＩＰプロトコルを格納しているＴＣＰ／ＩＰプロトコル格納部５９と、インターネットインターフェース５８と、ＭＡＣアドレス格納部６０と、無線ＬＡＮカード６１を含み、ＨＳコントローラ３内のルータ、インターネット７を介して通信を行う。
【００２４】
携帯電話機４から宅内の図６のようなＷｅｂカメラ（例えば、カメラ１３）にアクセスする場合は、携帯電話機４はセキュリティセンタサーバ６と接続して認証を受けインターネット７を介してＨＳコントローラ３にアクセスし、Ｗｅｂカメラ１３の固定ＩＰアドレスとカメラ名／番号等を指定して接続要求信号を伝送し、Ｗｅｂカメラ１３とインターネット７を介して接続して監視画像等を要求する。Ｗｅｂカメラ１３は要求された監視画像をデータ格納部５４から出力伝送する。伝送された監視画像（例えば、現在の居間カメラの画像）は図７（ａ）に示すように、現在の居間の状態が携帯電話機４の監視制御画面８０上に表示される。
ユーザが監視制御画面８０上で監視画像を居間の画像から他の場所、例えば、玄関、キッチン等のカメラに切換えたい場合は、「移動」をクリックして、「キッチン」をクリックすれば、居間の監視画像がキッチンカメラ（図示していない）の監視画像に切り替わる。
更に、キッチンカメラの位置を遠隔制御したい場合は、「カメラ操作」からパンの左右への角度、チルトの上下への角度、明るさの±調節、に夫々数値を入力して遠隔制御することができる。監視画像を記録したい場合は保存ボタンを押して記録もできる。
【００２５】
以上、Ｗｅｂカメラ１３を例にリモートコントロールの手順を説明したが、Ｗｅｂカメラに限らず、他のセンサや機器でも同様な手順でリモートコントロールすることができる。
次に、ＨＳコントローラ３により、宅内の各種センサの出力値を基に監視する防犯、防災システムが緊急事態をキャッチした場合には、図７（ｂ）に示すように、ＨＳコントローラ３は携帯電話機４に対してメールによる緊急警報を送信する。同時に、メールは遅延の危険もあるので、ＣＴＩ制御部３５より電話で２Ｗａｙ（双方向）方式の警報通知を行う。
警報通知を受信したユーザは、必要なら警備保障会社、消防、警察などへの通報を行う。また、ユーザが当システムと警備保障契約まで取り交わしている場合は、セキュリティセンタ６が警備保障業務を代行する。
【００２６】
その他、当システムによれば、無線ＬＡＮによりホームネットワークを構成して、宅内機器同志が通信を行ったり、照明、冷蔵庫、クーラー、ＴＶ、給湯機等、家電製品の電源をｏｎ／ｏｆｆしたり、各種の宅内制御等を展開することができる。
また、セキュリティセンタ６は、図７（ｃ）に示すようなインターネットを介した各種の予約受付けなども可能であり、防犯／防災／監視機能だけではなく、犯罪ニュース、着メロ、待ち受け画面配信、各種予約受付け等のサービス提供も可能である。
【図面の簡単な説明】
【００２７】
【図１】本発明のホームセキュリティシステムの構成図である。
【図２】図１に示す指紋認証の説明図である。
【図３】図１に示すＨＳコントローラの構成図である。
【図４】本発明の暗号化の説明図である。
【図５】図１に示すＨＳスティックによる指紋登録のフローチャートである。
【図６】図１に示すＷｅｂカメラのブロック図である。
【図７】図１に示す携帯電話機の遠隔制御画面を示す図である。
【図８】従来のホームセキュリティシステムの構成図である。
【符号の説明】
【００２８】
１    ホームセキュリティシステム
２    自宅
３    ＨＳコントローラ
４    携帯電話機
５    ＨＳスティック
６    セキュリティセンタサーバ
７    インターネット
８    熱線式検出器
９    暗視カメラ
１０    ガラス破損センサ
１１    窓用マグネットスイッチ
１２    防浸水発信機
１３    センサライトカメラ
１４    火災警報機
１５    ペンダント式発信機
１６    テンキー式施錠装置
２０    指紋
２１    デジタル・暗号化
２２    テンプレートデータ
２３    隆線
２４    谷線
２５    端点
２６    分岐点
３０    モデム部
３１    ファイアウォール部
３２    サーバ部
３３    ＴＣＰ／ＩＰ制御部
３４    センサ制御部
３５    ＣＴＩ制御部
５０    レンズ
５１    ＣＭＯＳ
５２    圧縮部
５３    カメラ制御部
５４    データ格納部
５５    表示部
５６    位置駆動モータ
５７    プロトコルスタック
５８    インターフェース
５９    ＴＣＰ／ＩＰプロトコル
６０    ＭＡＣアドレス
６１    無線ＬＡＮカード
７０    インターネット通信部
８０    遠隔監視画面
８１    緊急警報イメージ
８２    予約画面
【図１】
2006048174.tif 000003
【図２】
2006048174.tif 000004
【図３】
2006048174.tif 000005
【図４】
2006048174.tif 000006
【図５】
2006048174.tif 000007
【図６】
2006048174.tif 000008
【図７】
2006048174.tif 000009
【図８】
2006048174.tif 000010